(57)【特許請求の範囲】
【請求項１】
薬液供給装置からの薬液が流入する薬液流入ラインと；
投与対象に投与すべき薬液を流出する薬液流出ラインと；
前記薬液流入ラインから分岐して前記薬液流出ラインにそれぞれ連結された第１及び第２分岐ラインと；
前記第１分岐ライン上に備えられ、前記第１分岐ラインに沿って流れる薬液が貯蔵され、外力が加われば変形しながら貯蔵薬液を前記薬液流出ライン側に押送する薬液圧送バッグと；
前記薬液圧送バッグによって押送される薬液を一時貯蔵し、一時貯蔵薬液を前記薬液流出ラインを通じて持続的に流出する薬液流出持続手段と；を含み、
前記薬液流出持続手段は、前記薬液流出ライン上に、前記第１分岐ラインからの押送薬液が流入することによって膨脹するように備えられ、前記薬液圧送バッグに加えた外力を解除すれば原状に復元しようとする収縮力によって薬液を流出する薬液貯蔵バルーンを含むことを特徴とする、薬液投与器。
【請求項２】
前記薬液流出持続手段は、前記第１分岐ラインからの押送薬液が流入するように前記薬液流出ラインの一部を構成し、周りに孔が少なくとも一つ形成された薬液流出管をさらに含み、
前記薬液貯蔵バルーンは前記薬液流出管の外側に前記孔を覆うように結合され、前記孔に流出される押送薬液によって膨脹しながら押送薬液を一時貯蔵し、原状に復元しながら一時貯蔵された薬液を前記孔に流入させることを特徴とする、請求項１に記載の薬液投与器。
【請求項３】
前記薬液流出持続手段は、前記薬液貯蔵バルーンからの一時貯蔵薬液が前記第１分岐ライン側に逆流することを防止する逆流防止機構をさらに含み、
前記逆流防止機構は前記薬液流出管の入口側に装着されたチェックバルブを含むことを特徴とする、請求項２に記載の薬液投与器。
【請求項４】
前記薬液流出管は内部を前記薬液圧送バッグからの押送薬液流入側と流出側に区画する仕切りを持ち、前記孔として前記流入側と連通する流出孔と前記流出側と連通する流入孔を少なくとも一つずつ持つことを特徴とする、請求項２に記載の薬液投与器。
【請求項５】
前記薬液流出持続手段は、前記薬液貯蔵バルーンからの一時貯蔵薬液が前記第１分岐ライン側に逆流することを防止する逆流防止機構をさらに含み、
前記逆流防止機構は前記薬液流出管の外側で前記流出孔に密着して流出孔を閉鎖し、前記流出孔に流出しようとする押送薬液によって前記流出孔から離隔して流出孔を開放する開閉部材を含むことを特徴とする、請求項４に記載の薬液投与器。
【請求項６】
前記開閉部材はチューブ型に形成されて前記薬液流出管に嵌合され、弾性物質でなって前記流出孔に密着し、前記流出孔に流出しようとする押送薬液によって前記流出孔から離隔するように変形することを特徴とする、請求項５に記載の薬液投与器。
【請求項７】
前記薬液流出管の周りのうち前記開閉部材が嵌合される部分には前記開閉部材を収容する凹部が形成されたことを特徴とする、請求項６に記載の薬液投与器。
【請求項８】
前記薬液流出持続手段は、前記薬液貯蔵バルーンからの一時貯蔵薬液が前記第１分岐ライン側に逆流することを防止する逆流防止機構をさらに含むことを特徴とする、請求項１に記載の薬液投与器。
【請求項９】
前記逆流防止機構は、前記薬液圧送バッグに外力が加わらないときは薬液圧送バッグの貯蔵薬液が前記薬液流出ライン側に流れることを遮断し、前記薬液圧送バッグに外力が加わったときは薬液圧送バッグからの押送薬液が前記薬液流出ライン側に流れるように前記第１分岐ラインの管路を開閉する管路開閉ユニットを含むことを特徴とする、請求項８に記載の薬液投与器。
【請求項１０】
前記薬液投与器は、前記薬液圧送バッグが内蔵されるケース及びこのケースに外部で前記薬液圧送バッグに向かう押圧操作が可能であるように装着され、押圧操作の際、前記薬液圧送バッグに外力を加える加圧ボタンをさらに含み、前記管路開閉ユニットは前記加圧ボタンの操作によって前記第１分岐ラインの管路を開閉することを特徴とする、請求項９に記載の薬液投与器。
【請求項１１】
前記第１分岐ラインのうち前記薬液圧送バッグからの薬液が流れる部分は少なくとも一部が圧搾可能な軟質チューブで構成され、前記管路開閉ユニットは前記ケースに前記軟質チューブに対する離隔及び接近が可能であるように装着され、接近したとき、前記軟質チューブを圧搾して軟質チューブの管路を閉鎖する圧搾部材と；前記軟質チューブが前記圧搾部材によって圧搾されるように圧搾部材に弾性力を付与する弾性部材と；前記加圧ボタンの押圧操作の際、この操作力を前記圧搾部材に伝達して前記軟質チューブから前記圧搾部材を離隔させる連動手段とを含むことを特徴とする、請求項１０に記載の薬液投与器。
【請求項１２】
前記圧搾部材は、加圧部を持ち、角運動方向によって前記軟質チューブに対して加圧部が離隔するか接近する圧搾レバーであり、
前記管路開閉ユニットは、前記圧搾レバーとの間に前記軟質チューブを介在するように前記加圧部の回転半径上に配置され、前記加圧部による軟質チューブの圧搾を補助するストッパーをさらに含むことを特徴とする、請求項１１に記載の薬液投与器。
【請求項１３】
前記圧搾レバーは前記加圧ボタンの押圧操作方向に平行な軸線を中心に角運動を行い、
前記連動手段は、前記圧搾レバーに備えられた被操作部と；前記加圧ボタンに前記被操作部と接触可能になるように備えられた操作部とを含み、
前記被操作部と操作部が互いに接触する接触面の少なくとも一つは、前記加圧ボタンの押圧操作の際、前記加圧部による前記軟質チューブの圧搾が解除される方向に前記圧搾レバーが回転されるように傾斜面で構成されたことを特徴とする、請求項１２に記載の薬液投与器。
【発明の詳細な説明】
【技術分野】
【０００１】
本発明は痛み止め、抗生剤などの薬液の投与を要する投与対象（例えば、患者）に薬液を投与するのに使われる薬液投与器に関する。
【背景技術】
【０００２】
一般に、癌患者には特殊抗生剤を投与して癌を治療し、痛症管理が要求される患者には痛症を緩和させる目的で痛み止めを投与するが、特殊抗生剤や痛み止めのような薬液は他の一般的な薬剤とは異なり、過多に投与する場合には、患者が昏睡状態やショック死に至ることができ、反対の場合として投与量が少ないときには、薬液による目的達成を正確に成すことができないため、許容範囲内で一定の量を投与することが非常に重要である。
【０００３】
これに鑑みて案出されたものが直ちに薬液投与器である。既存の薬液投与器は、患者などの投与対象に一定量の薬液が投与されるように薬液を排出してボタンを押せば、瞬間的に投与量が増加するように薬液をさらに排出する。排出された薬液は注射針やカテーテル（ｃａｔｈｅｔｅｒ）のような注入ユニットを通じて投与対象に注入される。この際、薬液の追加排出は薬液が貯蔵された、ゴムや軟質プラスチックのような弾性物質でなるバッグ（ｂａｇ）をボタンの操作力で圧搾する方式でなる。
【０００４】
しかし、このような薬液投与器は、ボタンの押圧操作を解除すれば、薬液の追加排出が中断されるから所望の量が排出されるまでボタンをずっと押していなければならないため、操作しにくいという問題点（特に、カテーテルのように微細管路を持つ注入ユニットを用いて薬液を注入する場合には所望の量を排出しようとすれば、ボタンを多数回押すか長時間押していなければならないため、操作がもっと難しい）があったので、これに対する改善策の提供が急に要求されている。
【発明の開示】
【発明が解決しようとする課題】
【０００５】
本発明は患者など薬液の投与を要する投与対象に薬液を１回の操作だけでも所定の時間の間に持続的に追加投与することができる薬液投与器を提供することに目的がある。
【課題を解決するための手段】
【０００６】
本発明の実施例によれば、薬液供給管からの薬液が流入する薬液流入ラインと；投与対象に投与すべき薬液を流出する薬液流出ラインと；前記薬液流入ラインから分岐して前記薬液流出ラインにそれぞれ連結された第１及び第２分岐ラインと；前記第１分岐ライン上に備えられ、前記第１分岐ラインに沿って流れる薬液が貯蔵され、外力が加われば変形しながら貯蔵薬液を前記薬液流出ライン側に押送する薬液圧送バッグと；前記薬液圧送バッグによって押送される薬液を一時貯蔵し、一時貯蔵薬液を前記薬液流出ラインを通じて持続的に流出する薬液流出持続手段と；を含む薬液投与器が提供される。
【０００７】
前記薬液流出持続手段は、前記薬液流出ライン上に、前記第１分岐ラインからの押送薬液が流入することによって膨脹するように備えられ、原状に復元しようとする収縮力によって薬液を流出する薬液貯蔵バルーンを含むことができる。
【０００８】
また、前記薬液流出持続手段は、前記第１分岐ラインからの押送薬液が流入するように前記薬液流出ラインの一部を構成し、周りに孔が少なくとも一つ形成された薬液流出管をさらに含み、前記薬液貯蔵バルーンは前記薬液流出管の外側に前記孔を覆うように結合され、前記孔に流出される押送薬液によって膨脹しながら押送薬液を一時貯蔵し、原状に復元しながら一時貯蔵された薬液を前記孔に流入させることができる。
【０００９】
ここで、前記薬液流出管は内部を前記薬液圧送バッグからの押送薬液流入側と流出側に区画する仕切りを持ち、前記孔として前記流入側と連通する流出孔と前記流出側と連通する流入孔を少なくとも一つずつ持つことができる。
【００１０】
一方、本発明の実施例による薬液投与器は、前記薬液圧送バッグが内蔵されるケース及びこのケースに外部で前記薬液圧送バッグに向かう押圧操作が可能であるように装着され、押圧操作の際、前記薬液圧送バッグに外力を加える加圧ボタンをさらに含むことができる。
【００１１】
また、前記薬液流出持続手段は、前記薬液貯蔵バルーンからの一時貯蔵薬液が前記第１分岐ライン側に逆流することを防止する逆流防止機構をさらに含むことができる。
【００１２】
前記逆流防止機構は、前記薬液流出管の入口側に装着されたチェックバルブを含むことができる。
【００１３】
また、前記逆流防止機構は、前記薬液流出管の外側で前記流出孔に密着して流出孔を閉鎖し、前記流出孔に流出しようとする押送薬液によって前記流出孔から離隔して流出孔を開放する開閉部材を含むことができる。この際、前記開閉部材はチューブ型に形成されて前記薬液流出管に嵌合され、弾性物質でなって前記流出孔に密着し、前記流出孔に流出しようとする押送薬液によって前記流出孔から離隔するように変形することができる。そして、前記薬液流出管の周りのうち前記開閉部材が嵌合される部分には前記開閉部材を収容する凹部が形成されることができる。
【００１４】
また、前記逆流防止機構は、前記薬液圧送バッグに外力が加わらないときは薬液圧送バッグの貯蔵薬液が前記薬液流出ライン側に流れることを遮断し、前記薬液圧送バッグに外力が加わったときは薬液圧送バッグからの押送薬液が前記薬液流出ライン側に流れるように前記第１分岐ラインの管路を開閉する管路開閉ユニットを含み、前記管路開閉ユニットは前記加圧ボタンの操作によって前記第１分岐ラインの管路を開閉することができる。
【００１５】
ここで、前記第１分岐ラインのうち前記薬液圧送バッグからの薬液が流れる部分は少なくとも一部が圧搾可能な軟質チューブで構成され、前記管路開閉ユニットは前記ケースに前記軟質チューブに対する離隔及び接近が可能であるように装着され、接近したとき、前記軟質チューブを圧搾して軟質チューブの管路を閉鎖する圧搾部材と；前記軟質チューブが前記圧搾部材によって圧搾されるように圧搾部材に弾性力を付与する弾性部材と；前記加圧ボタンの押圧操作の際、この操作力を前記圧搾部材に伝達して前記軟質チューブから前記圧搾部材を離隔させる連動手段とを含むことができる。
【００１６】
また、前記圧搾部材は、加圧部を持ち、角運動方向によって前記軟質チューブに対して加圧部が離隔するか接近する圧搾レバーであり、前記管路開閉ユニットは、前記圧搾レバーとの間に前記軟質チューブを介在するように前記加圧部の回転半径上に配置され、前記加圧部による軟質チューブの圧搾を補助するストッパーをさらに含むことができる。
【００１７】
また、前記圧搾レバーは前記加圧ボタンの押圧操作方向に平行な軸線を中心に角運動を行い、前記連動手段は、前記圧搾レバーに備えられた被操作部と；前記加圧ボタンに前記被操作部と接触可能になるように備えられた操作部とを含み、前記被操作部と操作部が互いに接触する接触面の少なくとも一つは、前記加圧ボタンの押圧操作の際、前記加圧部による前記軟質チューブの圧搾が解除される方向に前記圧搾レバーが回転されるように傾斜面で構成されることができる。
【００１８】
本発明の実施例によれば、薬液供給管からの薬液が流入する薬液流入ラインと；投与対象に投与すべき薬液を流出する薬液流出ラインと；前記薬液流入ラインから分岐して前記薬液流出ラインにそれぞれ連結された第１分岐ライン及び第２分岐ラインと；前記第１分岐ライン上に備えられ、第１分岐ラインに沿って流れる薬液が貯蔵され、外力が加われば変形しながら貯蔵薬液を前記薬液流出ライン側に押送する薬液圧送バッグと；前記薬液圧送バッグに外力が加わらないとき、薬液圧送バッグの貯蔵薬液が前記薬液流出ライン側に流れることを遮断し、前記薬液圧送バッグに外力が加わったときは薬液圧送バッグからの押送薬液が前記薬液流出ライン側に流れるように前記第１分岐ラインの管路を開閉する管路開閉ユニットと；を含む薬液投与器が提供される。
【発明の効果】
【００１９】
本発明は１回の操作で投与対象（患者など）に薬液が所定の時間の間に持続的に追加投与されるので、使用が非常に便利であるという利点がある。また、本発明は、追加投与される薬液の逆流が防止されるので、薬液を安定的に投与することができる。
【図面の簡単な説明】
【００２０】
【図１】図１は本発明の第１実施例による薬液投与器の薬液供給装置を示す部分断面図である。
【図２】図２は本発明の第１実施例による薬液投与器の薬液注入装置を示す斜視図である。
【図３】図３は本発明の第１実施例による薬液投与器の薬液注入装置を示す斜視図である。
【図４】図４は図３に示す薬液流出持続手段を示す斜視図である。
【図５】図５は図３に示す薬液流出持続手段を示す分解斜視図である。
【図６】図６は図３に示す薬液流出持続手段を示す縦断面図である。
【図７】図７は本発明の第１実施例による薬液投与器の薬液流出持続手段によって薬液が持続的に追加投与される状態を示す断面図である。
【図８】図８は本発明の第１実施例による薬液投与器の薬液流出持続手段によって薬液が持続的に追加投与される状態を示す断面図である。
【図９】図９は本発明の第２実施例による薬液投与器の要部を示す縦断面図である。
【図１０】図１０は本発明の第２実施例による薬液投与器の薬液流出持続手段によって薬液が持続的に追加投与される状態を示す断面図である。
【図１１】図１１は本発明の第２実施例による薬液投与器の薬液流出持続手段によって薬液が持続的に追加投与される状態を示す断面図である。
【図１２】図１２は本発明の第３実施例による薬液投与器の要部を示す正面図である。
【図１３】図１３は図１２のＡ部の拡大図である。
【図１４】図１４は図１２及び図１３に示す逆流防止機構の作動を示す正面図である。
【図１５】図１５は図１２のＢ部の作動を示す断面図である。
【発明を実施するための形態】
【００２１】
本発明による薬液投与器は、患者などの投与対象に薬液を投与する途中瞬間的により多い量を投与しようとするとき（例えば、痛症を管理するために痛み止めを投与しているうちにも痛症がしずまらないで痛症がずっとあるとき）、便利に操作することができるようにしたものである。
【００２２】
図１は本発明の第１実施例による薬液投与器の薬液供給装置を示す部分断面図である。図１に示すように、第１実施例による薬液投与器は薬液供給装置５を含み、薬液供給装置５は薬液貯蔵手段６を含む。薬液貯蔵手段６は排出口を通じて、内部に貯蔵された薬液を排出する（大韓民国登録特許第０２６２９３０号参照）。
【００２３】
図２及び図３は本発明の第１実施例による薬液投与器の薬液注入装置を示す斜視図である。図２及び図３に示すように、第１実施例による薬液投与器は投与対象に薬液供給装置５からの薬液を注入する薬液注入装置１０をさらに含む。この薬液注入装置１０は薬液貯蔵手段６からの薬液が流入する薬液流入ライン、投与対象に投与すべき薬液を流出し、端部に注射針やカテーテルのような注入ユニットが連結された薬液流出ライン、薬液流入ラインから分岐して薬液流出ラインにそれぞれ連結された第１分岐ライン３４及び第２分岐ライン３２、及び第１分岐ライン３４上に装着された薬液圧送バッグ３９を含む。
【００２４】
ここで、薬液流入ラインは薬液貯蔵手段６の排出口に連結された薬液流入ホース３０を、かつ薬液流出ラインは薬液流出ホース３６をそれぞれ含む。二つの分岐ライン３４、３２は内部空間を薬液流入チャンバーとするコネクタ３８によって薬液流入ホース３０と連結される。薬液圧送バッグ３９は、その内部に第１分岐ライン３４に沿って薬液流出ライン側に流れる薬液が流入し、外部から圧力が加われば、この力によって変形する材質（好ましくは、弾性物質）でなる。
【００２５】
これによれば、薬液貯蔵手段６から提供される薬液は薬液流入ホース３０に沿って流れて薬液流入チャンバー（つまり、コネクタ３８の内部）に流入し、この薬液流入チャンバーから分岐して二つの分岐ライン３４、３２にそれぞれ流入した後、薬液流出ホース３６を通じて投与対象に注入される。薬液圧送バッグ３９に圧力を加えれば、この薬液圧送バッグ３９は変形され、第１分岐ライン３４に沿って流れて薬液圧送バッグ３９に流入、貯蔵された薬液は薬液圧送バッグ３９が変形するにつれて薬液流出ライン側に押送されることで、投与対象には瞬間的に多量の薬液が追加投与される。
【００２６】
薬液注入装置１０はケース１０Ａ、１０Ｂをさらに含む。ケース１０Ａ、１０Ｂには、二つの分岐ライン３４、３２、薬液圧送バッグ３９及びコネクタ３８が内蔵される。ケース１０Ａ、１０Ｂは互いに結合される上部ケース１０Ａと下部ケース１０Ｂを含む。下部ケース１０Ｂは底面に二つの分岐ライン３４、３２と薬液圧送バッグ３９が置かれる。薬液圧送バッグ３９の上側には薬液圧送バッグ３９に圧力を加えるための加圧ボタン２０が備えられる。
【００２７】
加圧ボタン２０はケース１０Ａ、１０Ｂに押圧操作可能に装着され、押圧操作の際に薬液圧送バッグ３９に圧力を加える。この構造のために、下部ケース１０Ｂの底面には加圧ボタン２０の上下運動を案内するガイド１４が備えられる。このガイド１４は二つを１組にし、加圧ボタン２０を介在するように配置される。ガイド１４はスプリング凹部１４Ａを持つ。このスプリング凹部１４Ａには押圧操作された加圧ボタン２０を元の位置に復帰させる弾性部材としてコイルスプリング１６が装着される。上部ケース１０Ａは、加圧ボタン２０の中央部がケース１０Ａ、１０Ｂの外部に露出するように開口部１１を持つ。開口部１１を通じて露出された加圧ボタン２０を押せば、薬液圧送バッグ３９は加圧ボタン２０の加圧力によって変形しながら薬液を押送し、コイルスプリング１６は圧縮される。加圧ボタン２０を押していた力を解除すれば、加圧ボタン２０は圧縮されたコイルスプリング１６の復元力によって元の位置に復帰され、薬液圧送バッグ３９には薬液が満たされる。
【００２８】
第１実施例による薬液投与器は、加圧ボタン２０の押圧操作によって第１分岐ライン３４に沿って押送される薬液圧送バッグ３９からの薬液を一時貯蔵し、この貯蔵された薬液を薬液流出ラインに持続的に流出する薬液流出持続手段６００をさらに含む。
【００２９】
図４〜図６はそれぞれ薬液流出持続手段６００を示す斜視図、分解斜視図及び縦断面図である。図４〜図６に示すように、薬液流出持続手段６００は、第１分岐ライン３４と薬液流出ホース３６の間に第１分岐ライン３４に沿って押送される薬液圧送バッグ３９からの薬液が薬液流出ホース３６に流入するように備えられ、この状態でケース１０Ａ、１０Ｂに内蔵される。また、薬液流出持続手段６００は構成要素として薬液流出管６０２、薬液貯蔵バルーン６２０及び逆流防止機構を含む。
【００３０】
薬液流出管６０２は薬液流出ホース３６とともに薬液流出ラインを構成する。薬液流出管６０２の両端のいずれか一方（入口６０６）には第１分岐ライン３４が連結され、これと反対側である薬液流出管６０２の両端の他方（出口６０８）には薬液流出ホース３６が連結される。薬液流出管６０２の出口６０８側の周りにはコネクタ６１０が一体に備えられる。この一体型のコネクタ６１０には第２分岐ライン３２が連結される。
【００３１】
薬液流出管６０２の周りには、第１分岐ライン３４からの薬液を薬液流出管６０２の周り方向に流出するための流出孔６１６、及び薬液を薬液流出管６０２の内部に流入するための流入孔６１８がそれぞれ形成される。流出孔６１６と流入孔６１８は薬液流出管６０２の長手方向に互いに離隔するように配置される。
【００３２】
薬液流出管６０２は、その内部（つまり、管路）を、流出孔６１６と連通する入口６０６側（押送薬液の流入側）及び流入孔６１８と連通する出口６０８側（押送薬液の流出側）の２空間に区画する仕切り６３０が備えられ、薬液流出管６０２に流入した薬液は流入孔６１８に流出せずに流出孔６１６を通じて流出される。
【００３３】
薬液貯蔵バルーン６２０は薬液流出管６０２の周りに嵌合されて流出孔６１６と流入孔６１８を覆うチューブであって、弾力が優れた材質でなり、結束バンド６２２によって薬液流出管６０２に両端部がそれぞれ結束される。このような薬液貯蔵バルーン６２０は、第１分岐ライン３４からの押送薬液が流出孔６１６を通じて流出されることによって膨脹しながら押送薬液を一時貯蔵し、この一時貯蔵された薬液を原状に復元しようとする自体の収縮力によって流入孔６１８を通じて薬液流出管６０２に流入させる。
【００３４】
ここでは、薬液貯蔵バルーン６２０が結束バンド６２２によって薬液流出管６０２に結合されるものを例示したが、薬液貯蔵バルーン６２０は薬液流出管６０２にその両端部が接着されることもできる。
【００３５】
薬液流出管６０２の周りのうち薬液貯蔵バルーン６２０が結束される部分には結束バンド６２２が結合される結合溝６１２が形成されることにより、結束バンド６２２の離脱が防止される。
【００３６】
また、薬液流出管６０２の周りのうち流出孔６１６の形成部分（図面符号６１４参照）はその外径が他の部分に比べて小さいように形成されることにより、原状に復元した薬液貯蔵バルーン６２０と離隔され、流入孔６１８が形成された部分はその外径が原状に復元した薬液貯蔵バルーン６２０と緊密に密着する大きさを持つように形成されることができる。これによれば、流出孔６１６はいつも開放した状態が維持されるが、流入孔６１８は原状に復元した薬液貯蔵バルーン６２０によって閉鎖される。この構造において、薬液流出持続手段６００は、投与対象が薬液の追加投与のために加圧ボタン２０を押圧操作したとき、薬液圧送バッグ３９から押送される薬液を持続的に排出するもので、原状に復元した薬液貯蔵バルーン６２０によって流出孔６１６が閉鎖されることにより、第１分岐管３４からの薬液が薬液貯蔵バルーン６２０の弾性力を克服することができなくて排出できないことを防止することができる。
【００３７】
逆流防止機構は薬液貯蔵バルーン６２０に一時貯蔵されてから流出される薬液が第１分岐ライン３４に逆流することを防止するもので、薬液流出管６０２の入口６０６側に装着されたチェックバルブ６２４を含む。
【００３８】
図７及び図８は薬液流出持続手段６００によって薬液が持続的に追加投与される状態を示すもので、これに基づいて第１実施例の作動を説明すれば次のようである。
【００３９】
薬液注入装置１０は、その第２分岐管３２を通じて薬液供給装置５からの薬液を投与対象に持続的に供給する。このような状態で加圧ボタン２０を押せば、薬液貯蔵バッグ３９に貯蔵された薬液は第１分岐管３４を通じて薬液流出持続手段６００に押送される。具体的に、図７に示すように、薬液貯蔵バッグ３９からの押送薬液は薬液流出管６０２の内部に流入した後、流出孔６１６を通じて流出されて薬液貯蔵バルーン６２０に流入する。この際、液状貯蔵バルーン６２０は押送薬液の流入につれて膨脹する。
【００４０】
その後、図８に示すように、膨脹した薬液貯蔵バルーン６２０は自体弾性力によって復元され、薬液貯蔵バルーン６２０に充填された押送薬液は薬液貯蔵バルーン６２０の復元の際に収縮力によって流入孔６１８に流出され、薬液流出管６０２の内部に流入した後、薬液流出ホース３６に沿って流れて投与対象に投与される。この際、薬液貯蔵バルーン６２０からの流出薬液は薬液流出管６０２の入口６０６側に装着されたチェックバルブ６２４によって逆流が防止される。
【００４１】
このような第１実施例による薬液投与器は、薬液貯蔵バッグ３９に貯蔵された薬液を投与対象に追加投与するために加圧ボタン２０を操作すれば、薬液貯蔵バッグ３９からの押送薬液が薬液貯蔵バルーン６２０に一時貯蔵されてから持続的に流出されるので使用が便利であるだけでなく、薬液貯蔵バルーン６２０からの流出薬液がチェックバルブ６２４によって逆流しないので、薬液を投与対象に安定的に追加投与することができる。
【００４２】
このような薬液注入過程で、注入ユニットとして微細管路を持つものを適用したら、薬液貯蔵バルーン６２０に流入する薬液はその量が通常薬液流出ホース３６を通じて流出される薬液の量より多いので、薬液貯蔵バルーン６２０は注入ユニットとして微細管路を持たないものを適用する場合より易しく膨脹する。よって、薬液貯蔵バルーン６２０の膨脹効率を考慮すれば、注入ユニットとしては微細管路を持つタイプを適用することがもっと好ましいであろう。
【００４３】
図９は本発明の第２実施例による薬液投与器の要部を示す断面図である。図９に示すように、第２実施例による薬液投与器は、第１実施例に比べるとき、他の構成及び作用はいずれも同様であるが、逆流防止機構の構成だけが多少異なっている。
【００４４】
これについて説明すれば、逆流防止機構は開閉部材５２４を含む。開閉部材５２４はチューブ型に形成され、シリコンのように弾力に優れた弾性物質でなる。この開閉部材５２４は薬液流出管６０２の周りのうち流出孔６１６が形成された部分に周り方向に沿って備えられた収容凹部６１４に緊密に嵌合されて自体弾力で流出孔６１６を閉鎖し、この流出孔６１６を通じて流出しようとする第１分岐ライン３４からの押送薬液によって流出孔６１６から離隔して流出孔６１６を開放する。また、このような開閉部材５２４は、薬液流出管６０２の収容凹部６１４にその一部が密着、離隔及び薬液貯蔵バルーン６２０への押送薬液の流入の作用を邪魔しないように接着できる。
【００４５】
図１０及び図１１は開閉部材５２４の作動を示す。収容凹部６１４に自体弾性力で密着して流出孔６１６を閉鎖していた開閉部材５２４は、薬液貯蔵バッグ３９から薬液が押送されれば、図１０のように、押送薬液が流出孔６１６に流出しようとする作用力によって変形しながら流出孔６１６から離隔する。この際、流出孔６１６は開放し、この開放した流出孔６１６に流出される押送薬液は開閉部材５２４と収容凹部６１４の間の離隔隙間を通じて薬液貯蔵バルーン６２０に流入する。もちろん、液状貯蔵バルーン６２０はこのように押送薬液が流入するにつれて膨脹する。
【００４６】
その後、流出孔６１６を通じての押送薬液の流出がないとき、開閉部材５２４は図１１のように原状に復元する。この際、流出孔６１６は閉鎖され、薬液貯蔵バルーン６２０に充填された薬液はこの流出孔６１６を閉鎖している開閉部材５２４によって流出孔６１６への流出（逆流）が防止される。
【００４７】
図１２は本発明の第３実施例による薬液投与器の要部を示す正面図、図１３は図１２のＡ部の拡大図である。また、図１４は図１２及び図１３に示す逆流防止機構の作動を示す正面図、図１５は図１２のＢ部の作動を示す断面図である。図１２〜図１５に示すように、第３実施例による薬液投与器は、第１または第２実施例に比べるとき、他の構成及びその作用はいずれも同様であるが、逆流防止機構と薬液流出持続手段６００の構成及び第１及び第２分岐ライン３４、３２の設置構造だけが多少異なっている。
【００４８】
第３実施例による逆流防止機構は加圧ボタン２０の操作によって第１分岐ライン３４の管路を開閉する管路開閉ユニット７００を含む。具体的に、管路開閉ユニット７００は、加圧ボタン２０に対する押圧操作が行われているときにだけ薬液圧送バッグ３９からの押送薬液が薬液流出持続手段６００に流入するように第１分岐ライン３４の管路を開放するもので、圧搾レバー７１０、トーションスプリング７２０、ストッパー７３０及び連動手段７４０を構成要素として含む。
【００４９】
圧搾レバー７１０の両端部のいずれか一方には、第１分岐ライン３４のうち薬液圧送バッグ３９からの押送薬液を輸送する部分上にこの部分を圧搾して管路を閉鎖する加圧部７１２が備えられる。もちろん、第１分岐ライン３４は、加圧部７１２の加圧作用によって圧搾されるように少なくとも該当の部分（以下、第１分岐ライン３４の圧搾部と言う）が軟質チューブで構成される。また、圧搾レバー７１０は、第１分岐ライン３４の圧搾部側に位置するように第１分岐ライン３４と加圧ボタン２０の間に配置され、この状態で下部ケース１０Ｂの底面に加圧ボタン２０の押圧操作方向に平行な軸線を中心に角運動可能に装着され、回転方向によって第１分岐ライン３４の圧搾部に対して加圧部７１２が離隔するか接近する。圧搾レバー７１０の中間部にはこのような角運動のために加圧ボタン２０の押圧操作方向にヒンジ軸７１４が備えられる。
【００５０】
トーションスプリング７２０は、第１分岐ライン３４の圧搾部が加圧部７１２によって圧搾された状態が維持されるように圧搾レバー７１０に弾性力を付与する。すなわち、トーションスプリング７２０は、圧搾レバー７１０に加圧部７１２が第１分岐ライン３４の圧搾部に対して接近する方向に回転させる力を加えて加圧部７１２が第１分岐ライン３４の圧搾部を圧搾しているようにするものである。このようなトーションスプリング７２０はヒンジ軸７１４に装着されることができ、トーションスプリング７２０の両端部のいずれか一方は加圧部７１２に、他方は周辺構成にそれぞれ支持できる。参考として、ここではトーションスプリング７２０の他方端部を周辺構成としてガイド１４に支持させた。ガイド１４にはこのようなトーションスプリング７２０との支持構造のための支持部が備えられることができる。
【００５１】
ストッパー７３０は圧搾レバー７１０との間に第１分岐ライン３４の圧搾部が位置するように加圧部７１２の回転半径上に配置され、加圧部７１２による第１分岐ライン３４の圧搾部の圧搾を補助する。ストッパー７３０によれば、軟質チューブである第１分岐ライン３４の圧搾部は加圧部７１２によって加圧時に加圧作用方向に押されなくて正確に圧搾される。
【００５２】
連動手段７４０は、加圧ボタン２０が押圧操作されたとき、この操作力を圧搾レバー７１０に伝達して第１分岐ライン３４の圧搾部から加圧部７１２を離隔させる。連動手段７４０は操作部７４２及び被操作部７４４を含む。操作部７４２は加圧ボタン２０に圧搾レバー７１０の両端部の他方に向かった突出するように備えられ、加圧ボタン２０とともに作動し、被操作部７４４は圧搾レバー７１０の他方端部に操作部７４２の下部との接触ができるように備えられる。好ましくは、この操作部７４２と被操作部７４４はそれぞれ加圧ボタン２０、圧搾レバー７１０と一体型に形成される。
【００５３】
ここで、操作部７４２と被操作部７４４の少なくとも一つは互いに接触する接触面が湾曲または平たい傾斜面に構成される。ここでは、操作部７４２と被操作部７４４の接触面の両方を傾斜面にした。操作部７４２の傾斜面は被操作部７４４に向かって上向きに傾き、これとは反対に、被操作部７４４の傾斜面は操作部７４２に向かって下向きに傾くように形成される。
【００５４】
このような連動手段７４０によれば、管路開閉ユニット７００を構成する弾性部材であるトーションスプリング７２０によって第１分岐ライン３４の圧搾部を圧搾し、圧搾部の管路を閉鎖していた圧搾レバー７１０は加圧ボタン２０を押せば互いに接触する操作部７４２と被操作部７４４の傾斜面によって押されながら回転され、加圧部７１２は第１分岐ライン３４の圧搾部から離隔するので、第１分岐ライン３４の圧搾部は圧搾が解除されて管路が開放される（図１４参照）。この際、薬液圧送バッグ３９から押送される薬液は薬液流出持続手段６００に流入する。一方、加圧ボタン２０の押圧を解除すれば、圧搾レバー７１０はトーションスプリング７２０の復元力によって元の位置に復帰するように回転され、第１分岐ライン３４の圧搾部は加圧部７１２によって圧搾される（図１３参照）。
【００５５】
薬液流出持続手段６００は管路開閉ユニット７００が第１分岐ライン３４上に設置されるため、その薬液流出管６０２に第１または第２実施例のような仕切り６３０が備えられない。そして、これにより、薬液流出管６０２には、周りに流出孔６１６と流入孔６１８の代わりに流出入孔６０３が少なくとも一つ備えられる。この際、流出入孔６０３を通じて薬液貯蔵バッグ３９から薬液流出管６０２に流入した押送薬液が薬液貯蔵バルーン６２０に流出されたり、薬液貯蔵バルーン６２０に貯蔵された薬液が再び薬液流出管６０２に流入したりする。
【００５６】
図面符号６１０Ａは６１０と同様な役目をするコネクタであり、第２分岐ライン３２はこの図面符号６１０Ａのコネクタによって薬液流出管６０２の入口６０６側に連結される。
【００５７】
図１２において説明しなかった図面符号８００は薬液投与量制御装置である。この薬液投与量制御装置８００は第２分岐ライン３２上に装着され、第２分岐ライン３２に沿って流れて流入する薬液を管路の断面積の相異なる複数の分配管によって配分し、この配分された薬液をマルチバルブによってスイッチングさせることにより、多様な流速量を選択することができ、これにより投与対象に正確な流量の薬液を投与することができるようにしたものである（大韓民国特許出願第２００９−０００８０９０号参照）。
【００５８】
以上、本発明を説明したが、本発明はこの明細書に開示された実施例及び添付図面に限定されなく、本発明の技術的思想を逸脱しない範囲内で当業者によって多様に変形可能である。
【図１】
0005442032.tif 000002
【図２】
0005442032.tif 000003
【図３】
0005442032.tif 000004
【図４】
0005442032.tif 000005
【図５】
0005442032.tif 000006
【図６】
0005442032.tif 000007
【図７】
0005442032.tif 000008
【図８】
0005442032.tif 000009
【図９】
0005442032.tif 000010
【図１０】
0005442032.tif 000011
【図１１】
0005442032.tif 000012
【図１２】
0005442032.tif 000013
【図１３】
0005442032.tif 000014
【図１４】
0005442032.tif 000015
【図１５】
0005442032.tif 000016